(57)【要約】【課題】低容量の空調ユニットの既設計の部品を流用して高容量の空調ユニットを製造する。【解決手段】フレーム構造体５は、低容量の空調ユニット２０２の所定の冷媒回路部品１０，４０を所定の延長方向に延長することにより製造される高容量の空調ユニット２のフレーム構造体であって、下方側面板２０ａ，２２ａと、上方側面板２０ｂ，２２ｂとを備える。上方側面板２０ｂ，２２ｂは、下方側面板２０ａ，２２ａと別体であり、下方側面板２０ａ，２２ａの上記延長方向の上端部に連続する。【選択図】図４
2008133986.tif 000002
【特許請求の範囲】
【請求項１】
低容量の空調ユニット（２０２）の所定の冷媒回路部品（１０，４０）を所定の延長方向に延長することにより製造される高容量の空調ユニット（２）のフレーム構造体（５）であって、
第１側面部（２０ａ，２２ａ）と、
前記第１側面部と別体であり、前記第１側面部の前記延長方向の端部に連続する第２側面部（２０ｂ，２２ｂ）と、
を備える、
空調ユニット（２）のフレーム構造体（５）。
【請求項２】
前記第２側面部（２０ｂ，２２ｂ）は、前記第１側面部（２０ａ，２２ａ）の上端部に連続し、前記第１側面部よりも前記延長方向に短い、
請求項１に記載の空調ユニット（２）のフレーム構造体（５）。
【請求項３】
底面部（２４）と、
天面部（２５）と、
前記底面部から前記天面部まで継ぎ目なく伸び、前記第１側面部（２０ａ，２２ａ）、前記第２側面部（２０ｂ，２２ｂ）、前記底面部および前記天面部により規定される内部空間を送風機室（Ｓ１）と機械室（Ｓ２）とに仕切る仕切部材（２６）と、
をさらに備え、
前記第２側面部は、前記第１側面部の上端部に連続し、
前記送風機室には、送風機（４１ａ，４１ｂ）が配置され、
前記機械室には、圧縮機（４３）が配置される、
請求項１に記載の空調ユニット（２）のフレーム構造体（５）。
【請求項４】
前記底面部（２４）上の前記仕切部材（２６）を支持する位置に配置される補強板、
をさらに備え、
前記仕切部材には、電装品ユニット（４２）が固定される、
請求項３に記載の空調ユニット（２）のフレーム構造体（５）。
【請求項５】
前記第１側面部（２０ａ，２２ａ）の上端部および前記第２側面部（２０ｂ，２２ｂ）の上端部と係合可能な係合部を有する天面部（２５）、
をさらに備え、
前記第２側面部は、前記第１側面部の上端部に連続する、
請求項１に記載の空調ユニット（２）のフレーム構造体（５）。
【請求項６】
底面部（２４）と、
天面部（２５）と、
前記底面部から前記天面部まで継ぎ目なく伸びる第３側面部（２１）と、
をさらに備え、
前記第２側面部（２０ｂ，２２ｂ）は、前記第１側面部（２０ａ，２２ａ）の上端部に連続する、
請求項１に記載の空調ユニット（２）のフレーム構造体（５）。
【請求項７】
前記冷媒回路部品には、熱交換器（１０）が含まれ、
前記熱交換器は、既設計の熱交換ユニット（１０ａ）に連続するように新設計の熱交換ユニット（１０ｂ）を継ぎ足すことにより前記延長方向に延長される、
請求項１から６のいずれかに記載の空調ユニット（２）のフレーム構造体（５）。
【請求項８】
前記第２側面部（２０ｂ，２２ｂ）は、前記第１側面部（２０ａ，２２ａ）の上端部に積み重ねられている、
請求項１から７のいずれかに記載の空調ユニット（２）のフレーム構造体（５）。
【請求項９】
低容量の空調ユニット（２０２）の所定の部品を流用して製造される高容量の空調ユニット（２）であって、
第１部品（１０ａ，２０ａ，２２ａ，２７ａ）と、
前記第１部品と別体であり、前記第１部品に連続し、前記第１部品と同じ機能を有する第２部品（１０ｂ，２０ｂ，２２ｂ，２７ｂ）と、
を備える、
空調ユニット（２）。
【請求項１０】
低容量の空調ユニット（２０２）の所定の部品を流用して高容量の空調ユニット（２）を製造する製造方法であって、
第１熱交換ユニット（１０ａ）の所定の延長方向の端部に第２熱交換ユニット（１０ｂ）を継ぎ足す第１継ぎ足し工程と、
第１側面部（２０ａ，２２ａ）の前記延長方向の端部に前記第２側面部（２０ｂ，２２ｂ）を継ぎ足す第２継ぎ足し工程と、
を包む、製造方法。
【請求項１１】
第１熱交換ユニット（１０ａ）と、
前記第１熱交換ユニットと別体であり、前記第１熱交換ユニットの上端部に積み重ねられた第２熱交換ユニット（１０ｂ）と、
前記第１熱交換ユニットに対向する第１側面部（２０ａ，２２ａ）と、
前記第１側面部と別体であり、前記第１側面部の上端部に積み重ねられ、前記第２熱交換ユニットに対向する第２側面部（２０ｂ，２２ｂ）と、
を備える、
空調ユニット（２）。
【発明の詳細な説明】
【技術分野】
【０００１】
本発明は、空調ユニット、そのフレーム構造体およびその製造方法に関し、より詳細には、低容量の空調ユニットの所定の部品を流用して製造される高容量の空調ユニット、そのフレーム構造体およびその製造方法に関する。
【背景技術】
【０００２】
通常、空調ユニットの能力は、圧縮機や熱交換器、レシーバなどの各種冷媒回路部品に応じて決定される。一方、空調ユニットのフレーム構造体は、空調ユニットの能力に直接の影響を与えない非冷媒回路部品であるが、各種冷媒回路部品を収納する必要がある。そのため、そのサイズや形状は、各種冷媒回路部品に応じて決定されることになり、結局は、空調ユニットの能力に応じたものとなる。例えば、特許文献１に示される空調ユニットにおいても、目標となる能力に適した冷媒回路部品が用意され、当該冷媒回路部品を収納することができるようなフレーム構造体が設計される。
【０００３】
ところで、従来、建物の増改築などに伴って既設の空調ユニットの能力を増加させる場合には、空調ユニット全体を取り替えるか、あるいは能力の差分を補填可能な空調ユニットを追加する必要がある。また、開発過程においても、既設計の空調ユニットよりも高い能力の空調ユニットを新たに設計する場合には、実現したい能力に見合う冷媒回路部品を新たに設計するとともに、これらの新設計の冷媒回路部品に見合うフレーム構造体を新たに設計する必要がある。
【特許文献１】特開２００５−７６９２４号公報
【発明の開示】
【発明が解決しようとする課題】
【０００４】
しかしながら、従来の方式で空調ユニットの容量を増量する場合、既設計の空調ユニットが無駄になってしまったり、別の空調ユニットを追加する場合においてその設置場所の確保が困難となったりなどの問題が生じる。
【０００５】
本発明の課題は、低容量の空調ユニットの既設計の部品を流用して高容量の空調ユニットを製造することにある。
【課題を解決するための手段】
【０００６】
第１発明にかかる空調ユニットのフレーム構造体は、低容量の空調ユニットの所定の冷媒回路部品を所定の延長方向に延長することにより製造される高容量の空調ユニットのフレーム構造体であって、第１側面部と、第２側面部とを備える。第２側面部は、第１側面部と別体であり、第１側面部の上記延長方向の端部に連続する。
【０００７】
このフレーム構造体は、既設計の空調ユニットの冷媒回路部品、例えば、熱交換器やレシーバなどを取り替えたり継ぎ足したりすることにより容量を増量させた空調ユニットのフレーム構造体である。このフレーム構造体は、延長された冷媒回路部品を収納することが可能なように、既設計の側面部に新設計の側面部を継ぎ足した継ぎ足し構造となっている。これにより、低容量の空調ユニットの既設計の側面部を流用して高容量の空調ユニットを製造することができる。
【０００８】
第２発明にかかる空調ユニットのフレーム構造体は、第１発明にかかる空調ユニットのフレーム構造体であって、第２側面部は、第１側面部の上端部に連続し、第１側面部よりも延長方向に短い。
【０００９】
このフレーム構造体では、上下方向に連続する２つの側面部（第１側面部および第２側面部）のうち、より短い方がより長い方の上方に配置される。これにより、側面部が上下方向の継ぎ足し構造となっていても、フレーム構造体全体としての強度が保たれる。
【００１０】
第３発明にかかる空調ユニットのフレーム構造体は、第１発明にかかる空調ユニットのフレーム構造体であって、底面部と、天面部と、仕切部材とをさらに備える。仕切部材は、底面部から天面部まで継ぎ目なく伸び、第１側面部、第２側面部、底面部および天面部により規定される内部空間を送風機室と機械室とに仕切る。第２側面部は、第１側面部の上端部に連続する。送風機室には、送風機が配置される。機械室には、圧縮機が配置される。
【００１１】
このフレーム構造体では、送風機室と機械室との仕切部材が、底面部から天面部まで継ぎ目なく伸びている。これにより、側面部が上下方向の継ぎ足し構造となっていても、フレーム構造体全体としての強度が保たれる。
【００１２】
第４発明にかかる空調ユニットのフレーム構造体は、第３発明にかかる空調ユニットのフレーム構造体であって、補強板をさらに備える。補強板は、底面部上の仕切部材を支持する位置に配置される。仕切部材には、電装品ユニットが固定される。
【００１３】
このフレーム構造体では、底面部上であって仕切部材の下方に補強板が配置される。これにより、仕切部材に固定される電装品ユニットの荷重による底面部の変形が抑制され、フレーム構造体全体としての強度が保たれる。
【００１４】
第５発明にかかる空調ユニットのフレーム構造体は、第１発明にかかる空調ユニットのフレーム構造体であって、天面部をさらに備える。天面部は、係合部を有する。係合部は、第１側面部の上端部および第２側面部の上端部と係合可能である。第２側面部は、第１側面部の上端部に連続する。
【００１５】
このフレーム構造体では、天面部が、上下方向に連続する２つの側面部（第１側面部および第２側面部）のうちいずれの側面部の上端部とも係合可能である。これにより、低容量の空調ユニットの既設計の天面部を流用して高容量の空調ユニットを製造することができる。
【００１６】
第６発明にかかる空調ユニットのフレーム構造体は、第１発明にかかる空調ユニットのフレーム構造体であって、底面部と、天面部と、第３側面部とをさらに備える。第３側面部は、底面部から天面部まで継ぎ目なく伸びる。第２側面部は、第１側面部の上端部に連続する。
【００１７】
このフレーム構造体では、側面部の一部（第３側面部）が、底面部から天面部まで継ぎ目なく伸びている。これにより、側面部の一部が上下方向の継ぎ足し構造となっていても、フレーム構造体全体としての強度が保たれる。
【００１８】
第７発明にかかる空調ユニットのフレーム構造体は、第１発明から第６発明のいずれかにかかる空調ユニットのフレーム構造体であって、冷媒回路部品には、熱交換器が含まれる。熱交換器は、既設計の熱交換ユニットに連続するように新設計の熱交換ユニットを継ぎ足すことにより延長方向に延長される。
【００１９】
このフレーム構造体では、側面部が、熱交換器の継ぎ足しに伴って継ぎ足される。これにより、このフレーム構造体は、延長された熱交換器を収納することができる。
【００２０】
第８発明にかかる空調ユニットのフレーム構造体は、第１発明から第７発明のいずれかにかかる空調ユニットのフレーム構造体であって、第２側面部は、第１側面部の上端部に積み重ねられている。
【００２１】
このフレーム構造体では、一方の側面部が他方の側面部の上端部に積み重ねられている。これにより、２つの側面部を上下方向に継ぎ足すことができる。
【００２２】
第９発明にかかる空調ユニットは、低容量の空調ユニットの所定の部品を流用して製造される高容量の空調ユニットであって、第１部品と、第２部品とを備える。第２部品は、第１部品と別体であり、第１部品に連続し、第１部品と同じ機能を有する。
【００２３】
この空調ユニットは、既設計の空調ユニットの部品、例えば、熱交換器や側面部などを継ぎ足すことにより容量を増量させたものである。これにより、低容量の空調ユニットの既設計の部品を流用して高容量の空調ユニットを製造することができる。
【００２４】
第１０発明にかかる製造方法は、低容量の空調ユニットの所定の部品を流用して高容量の空調ユニットを製造する製造方法であって、第１継ぎ足し工程と、第２継ぎ足し工程とを含む。第１継ぎ足し工程では、第１熱交換ユニットの所定の延長方向の端部に第２熱交換ユニットが継ぎ足される。第２継ぎ足し工程では、第１側面部の上記延長方向の端部に第２側面部が継ぎ足される。
【００２５】
この製造方法によれば、既設計の空調ユニットの熱交換器および側面部が継ぎ足されてより高容量の空調ユニットが製造される。これにより、低容量の空調ユニットの既設計の熱交換器および側面部を流用して高容量の空調ユニットを製造することができる。
【００２６】
第１１発明にかかる空調ユニットは、第１熱交換ユニットと、第２熱交換ユニットと、第１側面部と、第２側面部とを備える。第２熱交換ユニットは、第１熱交換ユニットと別体であり、第１熱交換ユニットの上端部に積み重ねられている。第１側面部は、第１熱交換ユニットに対向する。第２側面部は、第１側面部と別体であり、第１側面部の上端部に積み重ねられ、第２熱交換ユニットに対向する。
【００２７】
この空調ユニットは、２つの熱交換ユニット（第１熱交換ユニットおよび第２熱交換ユニット）と、２つの側面部（第１側面部および第２側面部）とを備えている。そして、上方の熱交換ユニットが下方の熱交換ユニット上に積み重ねられており、上方の側面部が下方の側面部上に積み重ねられている。また、下方の側面部は、下方の熱交換ユニットに対向しており、上方の側面部は、上方の熱交換ユニットに対向している。すなわち、この空調ユニットの熱交換器および側面部は、継ぎ足し構造となっている。これにより、熱交換器および側面部の同じ部品を容量の異なる空調ユニットに使用することができる。
【発明の効果】
【００２８】
第１発明によれば、低容量の空調ユニットの既設計の側面部を流用して高容量の空調ユニットを製造することができる。
【００２９】
第２発明によれば、側面部が上下方向の継ぎ足し構造となっていても、フレーム構造体全体としての強度が保たれる。
【００３０】
第３発明によれば、側面部が上下方向の継ぎ足し構造となっていても、フレーム構造体全体としての強度が保たれる。
【００３１】
第４発明によれば、仕切部材に固定される電装品ユニットの荷重による底面部の変形が抑制され、フレーム構造体全体としての強度が保たれる。
【００３２】
第５発明によれば、低容量の空調ユニットの既設計の天面部を流用して高容量の空調ユニットを製造することができる。
【００３３】
第６発明によれば、側面部の一部が上下方向の継ぎ足し構造となっていても、フレーム構造体全体としての強度が保たれる。
【００３４】
第７発明によれば、フレーム構造体が延長された熱交換器を収納することができる。
【００３５】
第８発明によれば、２つの側面部を上下方向に継ぎ足すことができる。
【００３６】
第９発明によれば、低容量の空調ユニットの既設計の部品を流用して高容量の空調ユニットを製造することができる。
【００３７】
第１０発明によれば、低容量の空調ユニットの既設計の熱交換器および側面部を流用して高容量の空調ユニットを製造することができる。
【００３８】
第１１発明によれば、熱交換器および側面部の同じ部品を容量の異なる空調ユニットに使用することができる。
【発明を実施するための最良の形態】
【００３９】
以下、図面を参照して、本発明の一実施形態にかかる空気調和装置１の室外ユニット（空調ユニット）２について説明する。空気調和装置１は、セパレートタイプの空気調和装置であり、主として室内ユニット３と室内ユニット３に冷媒連絡配管４７ａ，４７ｂを介して連結される室外ユニット２とから構成されている。
【００４０】
＜空気調和装置の冷媒回路の構成＞
図１に示すように、空気調和装置１の冷媒回路は、圧縮機４３、四路切換弁４５、室外熱交換器１０、室外膨張弁４６、室内膨張弁３１、室内熱交換器３０などの冷媒回路部品が配管を介して環状に連結されたものであり、蒸気圧縮式の冷凍サイクルを形成している。
【００４１】
圧縮機４３、四路切換弁４５、室外熱交換器１０および室外膨張弁４６は室外ユニット２に含まれており、室内膨張弁３１および室内熱交換器３０は室内ユニット３に含まれている。また、四路切換弁４５と室内熱交換器３０との間はガス側冷媒連絡配管４７ａにより連結されており、室外膨張弁４６と室内膨張弁３１との間は液側冷媒連絡配管４７ｂにより連結されている。なお、室外ユニット２には、後述するレシーバ４０やその他の付属機器も設けられているが、図１においては図示を省略している。
【００４２】
室外ユニット２側の冷媒回路の末端部には、ガス側閉鎖弁４８と液側閉鎖弁４９とが取り付けられており、ガス側閉鎖弁４８は四路切換弁４５側に、液側閉鎖弁４９は室外膨張弁４６側に配置されている。これらの閉鎖弁４８，４９は、各ユニット２，３を現地に設置する前には閉状態にされており、各ユニット２，３を現地に設置しガス側冷媒連絡配管４７ａおよび液側冷媒連絡配管４７ｂをそれぞれ閉鎖弁４８，４９に接続した後に開状態とされる。
【００４３】
＜空気調和装置の動作＞
次に、空気調和装置１の運転動作について説明する。
【００４４】
まず、冷房運転時は、四路切換弁４５が図１において実線で示す状態に保持される。圧縮機４３から吐出された高温高圧のガス冷媒は、四路切換弁４５を通過して室外熱交換器１０に流入し、室外空気と熱交換して凝縮して液化する。室外熱交換器１０において液化した冷媒は、全開状態の室外膨張弁４６を通過し、液側冷媒連絡配管４７ｂを通って室内膨張弁３１に達する。そして、冷媒は、室内膨張弁３１において減圧され、さらに室内熱交換器３０において室内空気と熱交換して蒸発する。冷媒の蒸発によって冷却された室内空気は、図示されない室内ファンによって室内へと吹き出され、室内を冷房する。また、室内熱交換器３０で蒸発して気化した冷媒は、ガス側冷媒連絡配管４７ａを通って室外ユニット２に戻り、圧縮機４３に吸入される。
【００４５】
一方、暖房運転時は、四路切換弁４５が図１において破線で示す状態に保持される。圧縮機４３から吐出された高温高圧のガス冷媒は、四路切換弁４５を通過して室内熱交換器３０に流入し、室内空気と熱交換して凝縮して液化する。冷媒の凝縮によって加熱された室内空気は、図示されない室内ファンによって室内へと吹き出され、室内を暖房する。また、室内熱交換器３０において液化した冷媒は、全開状態の室内膨張弁３１を通過し、液側冷媒連絡配管４７ｂを通って室外膨張弁４６に達する。そして、冷媒は、室外膨張弁４６において減圧され、さらに室外熱交換器１０において室外空気と熱交換して蒸発する。室外熱交換器１０で蒸発して気化した冷媒は、四路切換弁４５を通過して圧縮機４３に吸入される。
【００４６】
＜室外ユニットの構成＞
図２および図３は、室外ユニット２の外観斜視図であり、図４は、室外ユニット２の分解斜視図である。なお、本明細書中、室外ユニット２について「正面」とは、ファングリル３４ａ，３４ｂが配置されている面を意味し、「背面」とは「正面」に対向する面を意味するものとする。また、室外ユニット２について「右」とは、室外ユニット２を正面側から見た場合の右を意味し、「左」とは、室外ユニット２を正面側から見た場合の左を意味するものとする。
【００４７】
室外ユニット２は、室外ユニット２よりも低容量の室外ユニット２０２の部品を流用して製造される、室外ユニット２０２よりも高容量の室外ユニットである。図５および図６は、室外ユニット２０２の外観斜視図である。室外ユニット２に含まれる部品のうち室外ユニット２０２から流用されている部品は、ケーシング６の一部である下方側面板２０ａ，２２ａ、下方背面グリル２３ａ、底面板２４および天面板２５、熱交換器１０の一部である下方の熱交換ユニット１０ａ、ステー２７の一部である下方ステー２７ａ、ファン４１ａ，４１ｂなどである。
【００４８】
（１）フレーム構造体
室外ユニット２の骨格となるフレーム構造体５は、主として、略直方体形状のケーシング６と、ケーシング６の内部空間内において上下に伸びる仕切部材２６と、同じくケーシング６の内部空間内において上下に伸びるステー２７とから構成されている。
【００４９】
ａ）ケーシング
ケーシング６は、主として、側面板２０，２１，２２、背面グリル２３、底面板２４および天面板２５から構成されている。
【００５０】
側面板２０は、室外ユニット２の正面の左寄りの部分および左側面を形成するＬ字形状に折り曲げられた板部材であり、送風機室Ｓ１（図８参照）を囲んでおり、底面板２４から天面板２５まで伸びている。側面板２０は、主として、室外ユニット２０２の部品でもある下方側面板２０ａと、下方側面板２０ａの上端部に連続するように室外ユニット２の組み立て時に継ぎ足された上方側面板２０ｂとから構成されている。そして、下方側面板２０ａの上端部および上方側面板２０ｂの上端部は、天面板２５の正面側の左寄りの部位および左側面側の部位（係合部）と係合可能な形状を有しており、天面板２５の当該部位は、室外ユニット２０２の組み立て時には下方側面板２０ａの上端部に係合され、室外ユニット２の組み立て時には上方側面板２０ｂの上端部に係合されることになる。また、下方側面板２０ａのうち室外ユニット２の正面を形成する部位には、上下方向に並ぶ略矩形形状の開口が２箇所設けられており、これらの２箇所の開口を覆うようにして２つのファングリル３４ａ，３４ｂが取り付けられている。そして、送風機室Ｓ１内には、これらの２つのファングリル３４ａ，３４ｂに向かい合うようにして、２つのファン４１ａ，４１ｂが配置されている。ファン４１ａ，４１ｂは、プロペラファンであり、ステー２７に固定されるモータ台に支持されている。また、側面板２０のうち室外ユニット２の左側面を形成する部位には、複数の開口が設けられており、当該部位は、全体として格子状になっている。
【００５１】
側面板２１は、室外ユニット２の正面の右寄りの部分および右側面の正面寄りの部分を形成するＬ字形状に折り曲げられた板部材であり、機械室Ｓ２（図８参照）を囲んでいる。側面板２１は、継ぎ目のない一枚ものの板部材から成形されており、底面板２４から天面板２５まで伸びている。
【００５２】
側面板２２は、室外ユニット２の右側面の背面寄りの部分および背面の右側面寄りの部分を形成するＬ字形状に折り曲げられた板部材であり、機械室Ｓ２を囲んでおり、底面板２４から天面板２５まで伸びている。側面板２２は、主として、室外ユニット２０２の部品でもある下方側面板２２ａと、下方側面板２２ａの上端部に連続するように室外ユニット２の組み立て時に継ぎ足された上方側面板２２ｂとから構成されている。そして、下方側面板２２ａの上端部および上方側面板２２ｂの上端部は、天面板２５の背面側の右寄りの部位および右側面側の背面寄りの部位（係合部）と係合可能な形状を有しており、天面板２５の当該部位は、室外ユニット２０２の組み立て時には下方側面板２２ａの上端部に係合され、室外ユニット２の組み立て時には上方側面板２２ｂの上端部に係合されることになる。
【００５３】
背面グリル２３は、室外ユニット２の背面の左寄りの部分を形成しており、送風機室Ｓ１を囲んでおり、底面板２４から天面板２５まで伸びている。背面グリル２３は、主として、室外ユニット２０２の部品でもある下方背面グリル２３ａと、下方背面グリル２３ａの上方に位置するように室外ユニット２の組み立て時に継ぎ足された上方背面グリル２３ｂとから構成されている。上方背面グリル２３ｂは、下方背面グリル２３ａと隙間を空けて配置される。そして、天面板２５の背面側の左寄りの部位には、孔７１が設けられており、下方背面グリル２３ａの上端部には、天面板２５の孔７１に引っ掛けることが可能な掛かり爪７２が設けられており、上方背面グリル２３ｂの上端部には、天面板２５の孔７１に引っ掛けることが可能な掛かり爪７３が設けられている。天面板２５の孔７１には、室外ユニット２０２の組み立て時においては下方背面グリル２３ａの掛かり爪７２が引っ掛けられ、室外ユニット２の組み立て時においては上方背面グリル２３ｂの掛かり爪７３が引っ掛けられることになる。下方背面グリル２３ａおよび上方背面グリル２３ｂは、格子状に組まれた金属製のワイヤにポリプロピレン樹脂製の枠を取り付けた構造となっている。
【００５４】
そして、図７に示すように、下方背面グリル２３ａと上方背面グリル２３ｂとの隙間には、補強板２９が配置されている。補強板２９の右端は、下方側面板２２ａおよび上方側面板２２ｂとともにビスで締結されており、補強板２９の左端は、下方側面板２０ａおよび上方側面板２０ｂとともにビスで締結されている。すなわち、補強板２９は、側面板２０から側面板２２へと架設されることにより、継ぎ足し構造のケーシング６の強度を向上させる役割を果たしている。そして、補強板２９には、下方背面グリル２３ａの掛かり爪７２が引っ掛けられる孔７４が設けられており、下方背面グリル２３ａは、補強板２９に吊り下げられることになる。なお、この補強板２９に転倒防止部材６０を取り付けることにより、図１３（ａ）のような態様で室外ユニット２を支持し、その転倒を防ぐことが可能になる。
【００５５】
また、図２において詳細は示されないが、下方側面板２０ａおよび上方側面板２０ｂの連結部上の領域Ａ１と、側面板２１上の領域Ａ２との間には、補強板２９と概ね同じ形状の補強板７５が架設されている。補強板２９と補強板７５とは、略同じ高さ位置にある。この場合、補強板２９，７５にそれぞれ転倒防止部材６１，６２を取り付けることにより、図１３（ｂ）のような態様で室外ユニット２を支持し、その転倒を防ぐことが可能になる。
【００５６】
底面板２４は、室外ユニット２の底面を形成する板部材であり、天面板２５は、室外ユニット２の天面を形成する板部材である。底面板２４は、所定の凹凸パターンを有するように加工されており（図９参照）、圧縮機４３やステー２７などの部品を安定して固定することができるようになっている。
【００５７】
ｂ）仕切部材
仕切部材２６は、継ぎ目のない一枚ものの板部材から成形されており、ケーシング６の内部空間内に配置され、底面板２４から天面板２５まで伸びている。仕切部材２６は、図８に示すように、熱交換器１０の管板１２とともに、ケーシング６の内部空間を左側の送風機室Ｓ１と右側の機械室Ｓ２とに分離している。送風機室Ｓ１には、熱交換器１０およびファン４１ａ，４１ｂが配置されており、右側の機械室Ｓ２には、圧縮機４３、配管アセンブリ４（後述する）および電装品ユニット４２が配置されている。電装品ユニット４２は、制御基板や、圧縮機４３およびファン４１ａ，４１ｂをインバータ制御するインバータ基板などをまとめたものであり、圧縮機４３および配管アセンブリ４を避けて仕切部材２６の上部付近に支持されている。そして、図９に示すように、底面板２４上の仕切部材２６を支持する位置には、補強板２４ａが配置されている。補強板２４ａは、底面板２４と同様の凹凸パターンを有しており、底面板２４に嵌め合わされるようにして底面板２４上に重ねて配置される。これにより、仕切部材２６および電装品ユニット４２の荷重が、仕切部材２６を下方から支持する底面板２４に集中することなく補強板２４ａにも分散することになり、底面板２４の荷重耐力が向上する。
【００５８】
ｃ）ステー
ステー２７は、送風機室Ｓ１内に配置されており、上下方向に並ぶ２つのファン４１ａ，４１ｂのモータ台を支持している。ステー２７は、底面板２４に支持されており、天面板２５付近まで伸びている。そして、ステー２７と天面板２５との間には、図示されないシール部材が両者２５，２７に当接するように配置されている。ステー２７は、主として、室外ユニット２０２の部品でもある下方ステー２７ａと、下方ステー２７ａの上端部に連続するように室外ユニット２の組み立て時に継ぎ足された上方ステー２７ｂとから構成されている。
【００５９】
（２）熱交換器
図８に示すように、熱交換器１０は、送風機室Ｓ１内に配置されており、平面視において緩やかに湾曲した湾曲部を有するＬ字形状を有しており、背面グリル２３と、側面板２０のうち室外ユニット２の左側面を形成する部位とに向かい合っている。室外ユニット２の駆動時にファン４１ａ，４１ｂが回転駆動されると、背面グリル２３のグリル穴と、側面板２０のうち室外ユニット２の左側面を形成する部位に設けられている複数の開口とを介して、送風機室Ｓ１内に空気が流入する。そして、送風機室Ｓ１内に流入した空気は、熱交換器１０を背面側から正面側へと通り抜けながら熱交換器１０の伝熱管内を流れる冷媒との間で熱交換を行い、その後、下方側面板２０ａのファングリル３４ａ，３４ｂのグリル穴を介してケーシング６外へと放出される。
【００６０】
熱交換器１０は、主として、室外ユニット２０２の部品でもある下方の熱交換ユニット１０ａと、下方の熱交換ユニット１０ａの上端部に連続するように室外ユニット２の組み立て時に継ぎ足された上方の熱交換ユニット１０ｂとから構成されている。下方の熱交換ユニット１０ａと上方の熱交換ユニット１０ｂとは、平面視において略同じ形状を有している。下方側面板２０ａ，２２ａおよび下方背面グリル２３ａは、下方の熱交換ユニット１０ａに対向しており、上方側面板２０ｂ，２２ｂおよび上方背面グリル２３ｂは、上方の熱交換ユニット１０ｂに対向している。下方の熱交換ユニット１０ａは、主として、横方向に伸びる６０段の伝熱管と、６０段の伝熱管が挿入され、縦方向に伸びる板状の複数の放熱フィンとから構成されている。一方、上方の熱交換ユニット１０ｂは、主として、横方向に伸びる１２段の伝熱管と、１２段の伝熱管が挿入され、縦方向に伸びる板状の複数の放熱フィンとから構成されている。したがって、熱交換ユニット１０ｂは熱交換ユニット１０ａよりも上下方向に短く、熱交換ユニット１０ａ対熱交換ユニット１０ｂの上下方向の長さの比率は、概ね６０：１２となっている。
【００６１】
なお、同様に、下方側面板２０ａ対上方側面板２０ｂ、下方側面板２２ａ対上方側面板２２ｂ、下方背面グリル２３ａ対上方背面グリル２３ｂ、および下方ステー２７ａ対上方ステー２７ｂの上下方向の長さの比率も、概ね６０：１２となっており、これらの部材２０，２２，２３，２７は、上方が下方よりも短くなっている。
【００６２】
（３）配管アセンブリ
配管アセンブリ４は、レシーバ４０や閉鎖弁４８，４９、冷媒配管などをまとめたものであり、互いに適当な固定部材で固定されている。この配管アセンブリ４の重心は、平面視においてレシーバ４０と重なり、レシーバ４０の頭部上であって当該重心の直上付近の位置には、吊り金具４０ａが取り付けられている（図１０参照）。そして、室外ユニット２の組み立て時には、この吊り金具４０ａの孔に天面板２５から吊り下げられているクレーンフック２５ａが引っ掛けられる。これにより、配管アセンブリ４は、クレーンフック２５ａを介して上方から支えられ、その位置が安定する。
【００６３】
ａ）閉鎖弁の取り付け構造
図１１および図１２は、ガス側閉鎖弁４８および液側閉鎖弁４９付近の様子を示している。
【００６４】
閉鎖弁４８，４９は、閉鎖弁取付板２８に固定されている。閉鎖弁取付板２８は、板部材を適当に折り曲げることにより成形される横長の部材である。閉鎖弁取付板２８は、ビスなどを介してその左端部が下方側面板２０ａに固定され、その右端部が下方側面板２２ａに固定されている。したがって、閉鎖弁取付板２８は、閉鎖弁４８，４９を固定するとともに、継ぎ足し構造のケーシング６の強度を向上させる役割も果たしている。
【００６５】
閉鎖弁取付板２８には、その下端から切り込みが２箇所に形成されており、これらの２箇所の切り込みに２つの閉鎖弁４８，４９がそれぞれ挿入される。なお、より管径の短い液側閉鎖弁４９は、より管径の長いガス側閉鎖弁４８の左下方に配置されている。閉鎖弁４８，４９の上部には、冷媒の追加充填用のサービスポート４８ａ，４９ａが設けられており、サービスポート４８ａ，４９ａは冷媒の追加充填時以外は弁蓋４８ｂ，４９ｂにより閉じられている。そして、閉鎖弁取付板２８のうち、閉鎖弁４８，４９が挿入された状態において閉鎖弁４８，４９の上方に位置する部位２８ａは、その周辺の部位２８ｂよりもケーシング６の背面側に下がっている。閉鎖弁取付板２８の部位２８ａと弁蓋４８ｂ，４９ｂとの間には、平面視において人の指が入る程度の距離Ｌ１，Ｌ２が確保されている。これにより、サービスポート４８ａ，４９ａの弁蓋４８ｂ，４９ｂを開く作業は、最初に弁蓋４８ｂ，４９ｂを工具で緩めた後においては弁蓋４８ｂ，４９ｂを指でつまんで手作業で行うことができるようになっている。
【００６６】
＜室外ユニットの製造方法＞
次に、図５および図６に示す低容量の室外ユニット２０２から図２および図３に示す高容量の室外ユニット２を製造する方法について説明する。
【００６７】
室外ユニット２０２に含まれる部品のうち室外ユニット２に流用される部品は、６０段の熱交換ユニット１０ａ、下方側面板２０ａ，２２ａ、下方背面グリル２３ａ、下方ステー２７ａ、底面板２４、天面板２５、ファン４１ａ，４１ｂなどである。
【００６８】
また、新たに設計される部品は、１２段の熱交換ユニット１０ｂ、上方側面板２０ｂ，２２ｂ、側面板２１、上方背面グリル２３ｂ、仕切部材２６、上方ステー２７ｂ、補強板２４ａ，２９，７５、配管アセンブリ４などである。
【００６９】
まず、室外ユニット２０２のケーシング２０６を分割して、ケーシング２０６の内部空間内に収納されている部品にアクセス可能な状態にする。
【００７０】
そして、６０段の熱交換ユニット１０ａの上端部に、新たに用意した１２段の熱交換ユニット１０ｂを積み重ねる。また、室外ユニット２０２に既設されていた配管アセンブリ（図示せず）を取り外し、新たに用意した室外ユニット２の能力に見合う配管アセンブリ４に付け替える。同様に、室外ユニット２０２に既設されていた送風機室Ｓ１と機械室Ｓ２との仕切部材（図示せず）を取り外し、新たに用意した仕切部材２６に付け替える。なお、このとき、底面板２４上であって仕切部材２６の下方に補強板２４ａを敷く。
【００７１】
続いて、下方側面板２０ａの上端部に上方側面板２０ｂを積み重ね、下方側面板２２ａの上端部に上方側面板２２ｂを積み重ね、側面板２２１の代わりとして側面板２１を取り付け、下方ステー２７ａの上端部に上方ステー２７ｂを取り付ける。
【００７２】
次に、下方側面板２２ａおよび上方側面板２２ｂの連結部と、下方側面板２０ａおよび上方側面板２０ｂの連結部との間に補強板２９を取り付ける。同様に、下方側面板２０ａおよび上方側面板２０ｂの連結部上の領域Ａ１と、側面板２１上の領域Ａ２との間に補強板７５を取り付ける。また、天面板２５を取り付ける。
【００７３】
そして、下方背面グリル２３ａを補強板２９に取り付け、上方背面グリル２３ｂを天面板２５に取り付ける。
【００７４】
以上により、室外ユニット２が製造される。
【００７５】
＜特徴＞
（１）
上記実施形態では、高容量の室外ユニット２が、低容量の室外ユニット２０２の部品（６０段の熱交換ユニット１０ａ、下方側面板２０ａ，２２ａ、下方背面グリル２３ａ、下方ステー２７ａ、底面板２４、天面板２５、ファン４１ａ，４１ｂなど）を流用して製造されている。これにより、高容量の室外ユニット２を製造するに当たり、製造コストを抑えることができる。
【００７６】
なお、逆に、高容量の室外ユニット２の部品（６０段の熱交換ユニット１０ａ、下方側面板２０ａ，２２ａ、下方背面グリル２３ａ、下方ステー２７ａ、底面板２４、天面板２５、ファン４１ａ，４１ｂなど）を流用して低容量の室外ユニット２０２を製造することも可能である。
【００７７】
（２）
上記実施形態では、継ぎ足し構造を有する熱交換器１０、側面板２０，２２、背面グリル２３およびステー２７において、新たに継ぎ足す側のより短い部品１０ｂ，２０ｂ，２２ｂ，２３ｂ，２７ｂが、より長い継ぎ足される側の部品１０ａ，２０ａ，２２ａ，２３ａ，２７ａの上方に配置されるため、部品１０，２０，２２，２３，２７全体の強度が十分に保たれるようになっている。
【００７８】
（３）
上記実施形態では、仕切部材２６が継ぎ目のない一枚ものの板部材から成形されている。これにより、仕切部材２６は、電装品ユニット４２の荷重を十分に支えることができるとともに、継ぎ足し構造のケーシング６の強度を向上させる役割も果たしている。
【００７９】
（４）
上記実施形態では、ケーシング６の一部である側面板２１が継ぎ目のない一枚ものの板部材から成形されている。これにより、ケーシング６の側面板２１以外のその他の部分２０，２２、２３が継ぎ足し構造となっていても、ケーシング６の全体としての強度が十分に保たれることになる。
【００８０】
（５）
従来、配管アセンブリをクレーンフックにより吊り下げる場合においては、クレーンフックに引っ掛けられる吊り金具は、配管アセンブリの主要部品であるレシーバの頭部上であってレシーバ単体の重心の直上付近に取り付けられていた。しかしながら、これでは、配管アセンブリをクレーンフックに吊り下げた状態においてバランスが悪く、配管アセンブリが安定しにくいという問題があった。
【００８１】
しかしながら、上記実施形態では、吊り金具４０ａがレシーバ４０単体ではなく、配管アセンブリ４の重心の直上付近に取り付けられており、クレーンフック２５ａにより吊り下げられた状態において配管アセンブリ４が安定するようになっている。
【００８２】
（６）
上記実施形態では、閉鎖弁取付板２８の閉鎖弁４８，４９が挿入される付近の部位２８ａ，２８ｂが絞り成型されている。これにより、弁蓋４８ｂ，４９ｂの周囲１８０°の空間が閉鎖弁取付板２８と干渉することなく、冷媒の追加充填の作業性が向上するようになっている。
【００８３】
＜変形例＞
以上、本発明の一実施形態について説明したが、本発明は上記実施形態に限定されるものではなく、発明の要旨を逸脱しない範囲で種々の変更が可能である。
【００８４】
（１）
室内ユニット３が、継ぎ足し構造となっていてもよい。
【００８５】
（２）
新たに継ぎ足す側の部品１０ｂ，２０ｂ，２２ｂ，２３ｂ，２７ｂが、継ぎ足される側の部品１０ａ，２０ａ，２２ａ，２３ａ，２７ａの下方に配置されるようになっていてもよい。また、新たに継ぎ足す側の部品１０ｂ，２０ｂ，２２ｂ，２３ｂ，２７ｂが、継ぎ足される側の部品１０ａ，２０ａ，２２ａ，２３ａ，２７ａよりも長くてもよい。
【００８６】
また、新たに継ぎ足す側の部品１０ｂ，２０ｂ，２２ｂ，２３ｂ，２７ｂと継ぎ足される側の部品１０ａ，２０ａ，２２ａ，２３ａ，２７ａとの上下方向の位置関係が、部品１０，２０，２２，２３，２７ごとに異なっていてもよい。例えば、１２段の熱交換ユニット１０ｂを６０段の熱交換ユニット１０ａの上方に積み重ね、より短い側面板２０ｂをより長い側面板２０ａの下端部に取り付けてもよい。
【００８７】
（３）
側面板２１も、継ぎ足し構造となっていてもよい。また、側面板２１，２２、背面グリル２３およびステー２７の少なくとも１つが、継ぎ足し構造ではなく継ぎ目のない一枚ものの部品になっていてもよい。また、熱交換器１０についても、継ぎ足し構造ではなく継ぎ目のない構造となっていてもよい。
【００８８】
（４）
部品１０，２０，２２，２３，２７の継ぎ足し方向が上下方向でなくてもよい。
【００８９】
（５）
継ぎ足し構造を有する部品１０，２０，２２，２３，２７が３つ以上の同種のパーツから組み立てられるようになっていてもよい。
【産業上の利用可能性】
【００９０】
本発明は、低容量の空調ユニットの所定の部品を流用して製造される高容量の空調ユニット、そのフレーム構造体およびその製造方法として有用である。
【図面の簡単な説明】
【００９１】
【図１】空気調和装置の冷媒回路を示す図。
【図２】本発明の一実施形態にかかる室外ユニットを正面左側から見た斜視図。
【図３】本発明の一実施形態にかかる室外ユニットを背面右側から見た斜視図。
【図４】本発明の一実施形態にかかる室外ユニットの分解斜視図。
【図５】低容量の室外ユニットを正面左側から見た斜視図。
【図６】低容量の室外ユニットを背面右側から見た斜視図。
【図７】上方背面グリルと下方背面グリルとの連結構造を示す図。
【図８】本発明の一実施形態にかかる天面板を取り外した状態の室外ユニットの平面図。
【図９】底面板の平面図。
【図１０】配管アセンブリの斜視図。
【図１１】閉鎖弁付近の平面図。
【図１２】閉鎖弁付近の斜視図。
【図１３】（ａ）室外ユニットの設置状態を示す図。（ｂ）室外ユニットの他の設置状態を示す図。
【符号の説明】
【００９２】
２  室外ユニット（空調ユニット）
５  フレーム構造体
１０  熱交換器（冷媒回路部品）
１０ａ  下方の熱交換ユニット（第１部品）
１０ｂ  上方の熱交換ユニット（第２部品）
２０，２２  側面板
２０ａ，２２ａ  下方側面板（第１側面部、第１部品）
２０ｂ，２２ｂ  上方側面板（第２側面部、第２部品）
２１  側面板（第３側面部）
２３  背面グリル
２３ａ  下方背面グリル
２３ｂ  上方背面グリル
２４  底面板（底面部）
２５  天面板（天面部）
２６  仕切部材
２７  ステー
２７ａ  下方ステー（第１部品）
２７ｂ  上方ステー（第２部品）
４０  レシーバ（冷媒回路部品）
４１ａ，４１ｂ  ファン
４２  電装品ユニット
４３  圧縮機
Ｓ１  送風機室
Ｓ２  機械室
【図１】
2008133986.tif 000003
【図２】
2008133986.tif 000004
【図３】
2008133986.tif 000005
【図４】
2008133986.tif 000006
【図５】
2008133986.tif 000007
【図６】
2008133986.tif 000008
【図７】
2008133986.tif 000009
【図８】
2008133986.tif 000010
【図９】
2008133986.tif 000011
【図１０】
2008133986.tif 000012
【図１１】
2008133986.tif 000013
【図１２】
2008133986.tif 000014
【図１３】
2008133986.tif 000015